(57)【要約】      （修正有）【課題】斜面を段切り状に整地するために使用される施工効率の良い擁壁パネルを提供する。【解決手段】法面５に設けた段切り部６ａ、６ｂ、６ｃ、６ｄの山側や谷川に親杭１２上部が構成する支持柱１３を一定間隔を有して打設し、該夫々の支持柱に擁壁７、８、９裏面中央に設けられた擁壁パネル挿入穴に挿入して擁壁パネルを載置又は積層する。【選択図】図２
2013002187.tif 000002
【特許請求の範囲】
【請求項１】
法面に設けた段切り部に親杭上部が構成する支持柱を一定間隔を有して打設し、該夫々の支持柱により垂直方向に一段乃至複数段の擁壁パネルを載置して擁壁を構成し、該擁壁を構成する夫々の長方形型の擁壁パネルは中央裏面に親杭の上部が構成する支持柱を挿入できる挿入穴を有し、該擁壁パネルの表面は前記支持柱の挿入穴を中心に左右両方向に等しく展開する平板形状を有しており、該擁壁パネルは打設された親杭の上部に突出して設けられた夫々の支持柱に挿入して載置され擁壁パネル列からなる幅広の擁壁を構築し、該幅広の擁壁パネル列からなる擁壁の上部を頭繋ぎ部材にて連結していることを特徴とする斜面を段切り状に整地するために使用される擁壁パネル。
【請求項２】
法面に設けた段切り部に親杭上部が構成する支持柱を一定間隔を有して打設し、該夫々の支持柱により垂直方向に一段乃至複数段の擁壁パネルを載置して擁壁を構成し、該擁壁を構成する夫々の長方形型の擁壁パネルは中央裏面に親杭の上部が構成する支持柱を挿入できる挿入穴を有し、該擁壁パネルの表面は前記支持柱の挿入穴を中心に左右両方向に等しく展開する平板形状を有しており、該擁壁パネルは打設された親杭の上部に突出して設けられた夫々の支持柱に挿入して載置される擁壁パネル列からなる幅広の擁壁を構築し、該幅広の擁壁パネル列からなる擁壁の上部を頭繋ぎ部材にて連結して擁壁パネル列を構成し、また、前記擁壁パネル列を構成する夫々の擁壁パネルの裏面外周部にはブラケット状に突設された形状のタイバー固着面が形成されており、該タイバー固着面に夫々または任意ピッチでタイバーを固着し、該タイバーの他端は擁壁の山側における安定地盤に設けられたアンカーウェイトに連結されていることを特徴とする斜面を段切り状に整地するために使用される擁壁パネル。
【請求項３】
前記擁壁を構成する擁壁パネルは夫々の支持柱により複数段ずつ垂直方向に積層されたのち擁壁パネルの任意個所に頭繋部材を設けて夫々の擁壁パネルを連結させて幅広の擁壁パネル列を構成し、該頭繋ぎ部材の上部に繰りかえして擁壁パネルを夫々の支持柱により垂直方向に積層することにより擁壁パネル列の高さをより高く積層することを特徴とする請求項１並びに請求項２に記載された斜面を段切り状に整地するために使用される擁壁パネル。
【請求項４】
法面に設けた段切り部に親杭上部が構成する支持柱を一定間隔を有して打設し、該夫々の支持柱により垂直方向に一段乃至複数段の擁壁パネルを載置して擁壁を構成し、該擁壁を構成する夫々の長方形型の擁壁パネルは中央裏面に親杭の上部が構成する支持柱を挿入できる挿入穴を有し、該擁壁パネルの表面は前記支持柱の挿入穴を中心に左右両方向に等しく展開する平板形状を有しており、該擁壁パネルは打設された親杭の上部に突出して設けられた夫々の支持柱に挿入して載置され擁壁パネル列からなる幅広の擁壁を構築し、該幅広の擁壁パネル列からなる擁壁の上部を頭繋ぎ部材にて連結することを特徴とする斜面を段切り状に整地するために使用される擁壁パネル工法。
【発明の詳細な説明】
【技術分野】
【０００１】
本発明は、斜面を段切り状に整地するために使用される擁壁パネル及びその工法に関するものである。
【背景技術】
【０００２】
表土が失われた自然傾斜面や、切り取り、または盛土によって造られた人工的な傾斜面には、防災上の観点からモルタルやコンクリートの吹き付け工法や、プレキャスト製の法枠等で法面を覆う覆い傾斜面の崩壊や崩落を防止する種々の工法が用いられている。
【０００３】
例えば、傾斜面にモルタルやコンクリートを吹き付ける工法では、斜面に金属性の金網を張り、この上に直接モルタルやコンクリートを吹き付けており、斜面全体がモルタルやコンクリートで覆われるために斜面に植物が生えることがない。従って、近年では、景観保護や地球環境保全を重視して、斜面上に任意間隔を持って平らな地盤、所謂、段切り部を形成して、斜面の崩壊や崩落を防止する段切り工法が採用されてきており、前記斜面上に形成される平らな段切り部に積極的に植物を植えて緑化をはかるグリーンベンチ工法の施工もおこなわれている。
【０００４】
グリーンベンチ工法は傾斜地の法面に擁壁パネル立設用の平らな段切り部を形成し、この段切り部の山側や谷側に擁壁パネルを略垂直に載置するもので、この擁壁パネルの背面に樹木の生育に最適な裏込土を裏込めして擁壁パネルの上部に植樹体を形成し、樹木の成長により地盤の強化を図るという工法である。
【０００５】
而して、本発明は、上述したグリーンベンチ工法や、またグリーンベンチ工法を含む段切り工事工法においても使用可能な土留用の擁壁パネル構造、及びその擁壁パネル工法を提供するもので、特には、本発明は斜面を段切り状に整地するために使用されて多大な効果を発揮する擁壁パネル及び擁壁パネル工法に関するものである。
【０００６】
従来技術において、段切り工法に使用される擁壁パネルの具体例を見ていくと、従来のグリーンベンチ工法の発明において、特開２００２−８１０７５号公報（以下、特許文献１と称する。）がある。特許文献１は、所謂、間伐材を用いた土留構造に関するものであるが、この発明における壁体立設部は、段切り工法に使用される壁体の従来技術を解りやすく説明している。
【０００７】
即ち、特許文献１の発明は、段切り工法を用いたグリーンベンチ工法であり、斜面に壁体を用いて段切り部を設けることにより植樹作業効率を高め、間伐材の有効活用を図ることを目的になされたものである。そして、段切り部に設けられる壁体はコンクリート製の柱体と締結金具とを介して水平に締結された間伐材とから構成されていて、間伐材が構造材として使用期限に達した時、締結金具を切断して新たな間伐材に取り替えることのできる構造にしている。この発明では、土留用のアンカーは、柱体背面に止着する取付金具と、地山内に固定するアンカーバーと、これらの取付金具及びアンカーバーを自在継手状に接続する連結金具を備えることで、前記壁体を支持するコンクリート製の柱体を段切り部に立設しているものである。
【０００８】
従って、特許文献１の発明では、傾斜地での作業として、土留構造のアンカーを適宜間隔で山地内に固定する作業、柱体を適宜間隔で立設させる作業、前記アンカーと柱体とを接続固定させる作業、立設した柱体に間伐材からなる壁体を締結金具を介して固着する作業等、煩雑で煩わしい作業が継続してしまう欠点がある。
【０００９】
また、柱体を固定するための土留構造のアンカーは、水平方向あるいはこれに極めて近い角度で、山地内に固定するものであるが、柱体を固定する部材としては、常に不確定さと、不安定さを有しており、作業経験により養われた感覚を必要とする作業となる等の欠点を有している他、土留構造のアンカーは金属製であることから、地質により山地内での腐食をも考慮しなくてはならない。
【先行技術文献】
【特許文献】
【００１０】
【特許文献１】特開２００２−８１０７５号公報
【発明の概要】
【発明が解決しようとする課題】
【００１１】
斯くして、本発明が解決しようとする課題は、傾斜地での作業を簡略化できる擁壁パネルを提供し、土留構造のアンカーを適宜間隔で山地内に固定する作業、柱体を適宜間隔で立設させる作業、前記アンカーと柱体とを接続固定させる作業、立設した柱体に壁体を固着する作業等、煩雑で煩わしい作業を軽減するものであり、特に斜面を段切り状に整地するために使用されて多大な効果を発揮する擁壁パネル、及びその工法に関するものである。
【００１２】
本発明において、斜面を段切り状に整地するための擁壁パネルの構造は、擁壁パネルを支持固定する手段として、不安定要素の土留構造のアンカーは使用せず、夫々の擁壁パネルが擁壁パネルの中央裏面で挿入穴を有した構造で、該挿入穴に親杭上部に植設された支持柱を挿入させることにより、夫々の擁壁パネルを支持柱に支持固定する構成を有している。
【００１３】
また、本発明において、法面の段切り部に設置される擁壁パネル列は、夫々の擁壁パネルが擁壁パネル中央で支持固定されることにより支持柱を中心に左右均等に土圧がかかるように構成して擁壁パネルピッチを２メートル程度に拡大した。そして、この改良された擁壁パネルは狭隘な場所でも小型重機を用いて効率よく施工できる最良の構成を提供するもので、従来の段切り工法に用いられる土留擁壁構造に比較して、施工が簡単で単純構造を有しており、且つ、強度が保てる耐候性の良い擁壁パネルを提供するものである。
【課題を解決するための手段】
【００１４】
斯くして、本発明における課題を解決する手段として、本発明は、法面に設けた段切り部の山側や谷川に親杭上部が構成する支持柱を一定間隔を有して打設し、該夫々の支持柱により垂直方向に一段乃至複数段の擁壁パネルを載置して擁壁を構成し、該擁壁を構成する夫々の長方形型の擁壁パネルは中央裏面に親杭の上部が構成する支持柱を挿入できる挿入穴を有し、該擁壁パネルの表面は前記支持柱の挿入穴を中心に左右両方向に等しく展開する平板形状を有している。そして、夫々の擁壁パネルは、打設された親杭の上部に突出して設けられた夫々の支持柱に挿入されて載置され、擁壁パネル列からなる幅広の擁壁を構築し、該幅広の擁壁パネル列からなる擁壁の上部を頭繋ぎ部材にて連結している構成の斜面を段切り状に整地するために使用される擁壁パネル及びその工法を提供するものである。
【００１５】
また、本発明は、法面に設けた段切り部の山側に親杭上部が構成する支持柱を一定間隔を有して打設し、該夫々の支持柱により垂直方向に一段乃至複数段の擁壁パネルを載置して擁壁を構成し、該擁壁を構成する夫々の長方形型の擁壁パネルは中央裏面に親杭の上部が構成する支持柱を挿入できる挿入穴を有し、該擁壁パネルの表面は前記支持柱の挿入穴を中心に左右両方向に等しく展開する平板形状を有しており、該擁壁パネルは打設された親杭の上部に形成された夫々の支持柱に挿入して載置される擁壁パネル列からなる幅広の擁壁を構築する。そして、前記擁壁パネル列を構成する夫々の擁壁パネルの支持柱用挿入穴の外周部はブラケット状に突設された形状のタイバー固着面が形成されており、該タイバー固着面には、夫々或いは任意ピッチでタイバーを固着可能であり、該タイバーの他端は擁壁の山側における安定地盤に設けられたアンカーウエィトに連結されて擁壁パネルの補強をおこない、該補強された擁壁パネルは幅広の擁壁を構築し、該幅広の擁壁パネル列からなる擁壁の上部を頭繋ぎ部材にて連結する構成を採用することにより一段と強度が保てる斜面を段切り状に整地するために使用される擁壁パネルを提供するものである。
【００１６】
更に本発明において、前記擁壁を構成する擁壁パネルは夫々の支持柱により複数段ずつ垂直方向に積層されたのち擁壁パネルの任意個所に頭繋部材を設けて夫々の擁壁パネルを連結させて幅広の擁壁パネル列を構成し、該頭繋ぎ部材の上部に繰りかえして擁壁パネルを夫々の支持柱により垂直方向に積層することにより擁壁パネル列の高さをより高く積層することが可能であり、擁壁パネルの積層高さを現場にあわせて任意に選択できる汎用性の大きな斜面を段切り状に整地するために使用される擁壁パネルを提供するものである。
【発明の効果】
【００１７】
本発明における段切り状整地工法用の擁壁パネルは、一定間隔を有して親杭を打設し、該親杭の上部が構成する支持柱に擁壁パネルを挿着固定するものであり、傾斜地での作業を大いに簡略化できる段切り工法用の擁壁パネルを提供することができるもので、従来技術の如く、土留構造のアンカーを適宜間隔で山地内に固定する作業、柱体を適宜間隔で立設させる作業、前記アンカーと柱体とを接続固定させる作業、立設した柱体に壁体を固着する作業等、煩雑で煩わしい現場作業を軽減するものである。
【００１８】
また、本発明において使用される擁壁パネルは、工場生産されるプレキャストコンクリート製であり、該擁壁パネルを支持固定する手段として、不安定要素の土留構造のアンカーは使用せず、夫々の擁壁パネルが擁壁パネルの中央裏面で挿入穴を有した構造で、該挿入穴に親杭上部に植設された支持柱を挿入させることにより、夫々の擁壁パネルを支持柱に支持固定する構成で、原則的に親杭や該親杭上部に構成される支持柱も例えばＨ型鋼を骨材としたコンクリート製であること、また、実施例の強度補強材として使用される前記タイバーやアンカーウエィトもプレキャストコンクリート製とすることが可能であり、全ての擁壁パネル構築材が耐候性の良い材質にて製作可能である。
【００１９】
そして、本発明は、法面の段切り整地工法において、段切り部に設置される擁壁パネル列は、夫々の擁壁パネルが擁壁パネル中央で支持固定されることにより支持柱を中心に左右均等に土圧がかかるように構成しており、該擁壁パネルのサイズは、例えば幅約２０００ｍｍ、高さ約１０００ｍｍ程度の比較的小さなモジュールとすることができることから、本発明の段切り工法用の擁壁パネルは、狭隘な場所でも小型重機を用いて効率よく施工できる最良の構成を提供するもので、従来の段切り工法に用いられる土留擁壁構造に比較して、単純構造を有して施工が簡単であり、且つ、傾斜地の崩壊や崩落防ぐことができる耐候性の良い段切り整地用の擁壁パネルを提供するものである。
【図面の簡単な説明】
【００２０】
【図１】（Ａ）本発明に使用される擁壁パネルの形状を示す平面図である。（Ｂ）本発明に使用される擁壁パネルの形状を示す正面図である。
【図２】本発明を傾斜地に実施した状態を示す側断面図である。
【図３】実施例１を説明する斜視図である。
【図４】実施例２を説明する斜視図である。
【図５】（Ａ）実施例３を説明する断面図である。（Ｂ）実施例３を説明する断面図である。
【発明を実施するための形態】
【００２１】
本発明は、法面に設けた段切り部山側に親杭上部が構成する支持柱を一定間隔を有して打設し、該夫々の支持柱により垂直方向に一段乃至複数段の擁壁パネルを載置して擁壁を構成し、該擁壁を構成する夫々の長方形型の擁壁パネルは中央裏面に親杭の上部が構成する支持柱を挿入できる挿入穴を有し、該擁壁パネルの表面は前記支持柱の挿入穴を中心に左右両方向に等しく展開する平板形状を有している。そして、夫々の擁壁パネルは、打設された親杭の上部に突出して設けられた夫々の支持柱に挿入されて載置され、擁壁パネル列からなる幅広の擁壁を構築し、該幅広の擁壁パネル列からなる擁壁の上部を頭繋ぎ部材にて連結している構成の斜面を段切り状に整地するために使用される擁壁パネル及びその工法を提供するものである。
【００２２】
また、本発明は、法面に設けた段切り部の山側に親杭上部が構成する支持柱を一定間隔を有して打設し、該夫々の支持柱により垂直方向に一段乃至複数段の擁壁パネルを載置して擁壁を構成し、該擁壁を構成する夫々の長方形型の擁壁パネルは中央裏面に親杭の上部が構成する支持柱を挿入できる挿入穴を有し、該擁壁パネルの表面は前記支持柱の挿入穴を中心に左右両方向に等しく展開する平板形状を有しており、該擁壁パネルは打設された親杭の上部に形成された夫々の支持柱に挿入して載置される擁壁パネル列からなる幅広の擁壁を構築する。そして、前記擁壁パネル列を構成する夫々の擁壁パネルの支持柱用挿入穴の外周部はブラケット状に突設された形状のタイバー固着面が形成されており、該タイバー固着面には、夫々或いは任意ピッチでタイバーを固着可能であり、該タイバーの他端は擁壁の山側における安定地盤に設けられたアンカーウエィトに連結されて擁壁パネルの補強をおこない、該補強された擁壁パネルは幅広の擁壁を構築し、該幅広の擁壁パネル列からなる擁壁の上部を頭繋ぎ部材にて連結する構成を採用することにより一段と強度が保てる段切り工法に用いられる擁壁パネルを提供するものである。
【００２３】
従って、本発明における段切り整地用の擁壁パネルは、一定間隔を有して親杭を打設し、該親杭の上部が構成する支持柱に擁壁パネルを挿着固定するものであり、傾斜地での作業を大いに簡略化できる段切り整地用の擁壁パネルを提供することができるもので、従来技術の如く、土留構造のアンカーを適宜間隔で山地内に固定する作業、柱体を適宜間隔で立設させる作業、前記アンカーと柱体とを接続固定させる作業、立設した柱体に壁体を固着する作業等、煩雑で煩わしい現場作業を軽減するものである。
【００２４】
また、本発明において使用される擁壁パネルは、工場生産されるプレキャストコンクリート製であり、該擁壁パネルを支持固定する手段として、不安定要素の土留構造のアンカーは使用せず、夫々の擁壁パネルが擁壁パネルの中央裏面で挿入穴を有した構造で、該挿入穴に親杭上部に植設された支持柱を挿入させることにより、夫々の擁壁パネルを支持柱に支持固定する構成で、原則的に親杭や該親杭上部に構成される支持柱も例えばＨ型鋼を骨材としたコンクリート製であること、また、実施例の強度補強材として使用される前記タイバーやアンカーウエィトもプレキャストコンクリート製とすることが可能であり、全ての擁壁パネル構築材が耐候性の良い材質にて製作可能である。
【００２５】
更に本発明において、前記擁壁を構成する擁壁パネルは夫々の支持柱により複数段ずつ垂直方向に積層されたのち擁壁パネルの任意個所に頭繋部材を設けて夫々の擁壁パネルを連結させて幅広の擁壁パネル列を構成し、該頭繋ぎ部材の上部に繰りかえして擁壁パネルを夫々の支持柱により垂直方向に積層することにより擁壁パネル列の高さをより高く積層することが可能であり、段切り工法に用いられる擁壁パネルの積層高さを現場にあわせて任意に選択できる汎用性の大きな段切り整地用の擁壁パネルを提供するものである。
【００２６】
そして、本発明は、法面の段切り整地工法において、段切り部に設置される擁壁パネル列は、夫々の擁壁パネルが擁壁パネル中央で支持固定されることにより支持柱を中心に左右均等に土圧がかかるように構成しており、該擁壁パネルのサイズは、例えば幅約２０００ｍｍ、高さ約１０００ｍｍ程度の比較的小さなモジュールとすることができることから、本発明の段切り整地工法用の擁壁パネルは、狭隘な場所でも小型重機を用いて効率よく施工できる最良の構成を提供するもので、従来の段切り工法に用いられる土留擁壁構造に比較して、単純構造を有して施工が簡単であり、且つ、傾斜地の崩壊や崩落を防止することのできる耐候性の良い段切り整地工法用の擁壁パネルを提供するものである。
【実施例１】
【００２７】
図１乃至図３は本発明の実施例を説明するものであり、図１（Ａ）は本発明に使用される擁壁パネルの平面図、図１（Ｂ）は図１（Ａ）の正面図、図２は本発明を傾斜地に実施した状態を示す側断面図、図３は構成部材の斜視図である。
【００２８】
図１（Ａ）（Ｂ）において、１は擁壁パネル本体、２は擁壁パネル本体１の中央部に構成される挿入穴、３は擁壁パネルの裏面に設けられたタイバー固着面、４は擁壁パネルを積層する際に他の擁壁パネルとの嵌合に使用されるガイドピンを示している。
【００２９】
図１（Ａ）（Ｂ）において、擁壁を構成する夫々の擁壁パネル１は中央部に親杭（図２、図３において図示）の上部が構成する支持柱を挿入できる挿入穴２を有し、該擁壁パネル本体１の表面は前記支持柱の挿入穴２を中心に左右方向に等しく展開する平板形状を有しており、該擁壁パネル本体１は打設された親杭の上部に形成された支持柱に挿入されて擁壁を構成するものである。
【００３０】
図２は本発明の実施例１及び実施例２を傾斜地に実施した状態を示す側断面図であり、図２において、５は傾斜地の法面、６ａ、６ｂ、６ｃ、６ｄは傾斜地の方面を段切りして形成した段切り部、７、８、９は段切りした山側に夫々設けられた擁壁、１０ａ、１０ｂは夫々の擁壁を構成する擁壁パネル、該夫々の擁壁パネル１０ａ、１０ｂは下部に設けられた基台１１上に載置され、夫々親杭１２の上部に形成される支持柱１３により立設されており、該支持柱１３の天端には、頭繋ぎ部材１４が冠設されている。尚、１５は擁壁７，８、９を構築した後に仮置き場所より投入される裏込土である。
【００３１】
図３は本発明の実施例１の部材構成を説明する斜視図であり、１０ａ、１０ａ、１０ａは擁壁パネルであり、該擁壁パネル１０ａ、１０ａ、１０ａは基台１１上に載置され擁壁パネル列１６を形成している。そして、夫々の擁壁パネル１０ａ、１０ａ、１０ａは夫々親杭１２上に形成された支持柱１３、１３、１３により立設されている。即ち、夫々の擁壁パネル１０ａ、１０ａ、１０ａは前記支持柱１３、１３、１３を挿入して擁壁パネル１０ａを夫々支持固定する挿入穴２、２、２を有しており、夫々の擁壁パネル１０ａ、１０ａ、１０ａを支持固定すること、並びに夫々の擁壁パネルの上部に突出している支持柱１３、１３、１３の天端に頭繋ぎ部材１４を冠設することにより、前記段切り部６ａ、６ｂ、６ｃ（図２に示す）の山側、或いは谷川に土砂の崩落、崩壊を防ぐ擁壁パネル列１６を構築することができる。
【００３２】
而して、実施例１は、法面に設けた段切り部６ａ、６ｂ、６ｃの山側、或いは谷川に親杭１２上部が構成する支持柱１３を一定間隔を有して打設し、該夫々の支持柱１３により垂直方向に擁壁パネル１０ａを載置して擁壁７、８を構成し、該擁壁を構成する夫々の長方形型の擁壁パネル１０ａ、１０ａ、１０ａは擁壁パネルの中央裏面に親杭１２の上部が構成する支持柱１３を挿入できる挿入穴２を有し、該擁壁パネル１０ａの表面は前記支持柱１３の挿入穴２を中心に左右両方向に等しく展開する平板形状を有しており、該擁壁パネル１０ａは打設された親杭１２の上部に突出して設けられた夫々の支持柱１３に挿入して載置され擁壁パネル列１６からなる幅広の擁壁７、８を構築するもので、該幅広の擁壁パネル列１６からなる擁壁７，８の上部を頭繋ぎ部材１４にて連結している段切り工法に用いられる擁壁パネルを提供するものである。
【００３３】
而して、本発明における段切り整地工法用の擁壁パネル本体１は、一定間隔を有して親杭１２を打設し、該親杭１２の上部が構成する支持柱１３に擁壁パネルを挿着固定するものであり、傾斜地での作業を大いに簡略化できる段切り工法用の擁壁パネルを提供することができるもので、従来技術の如く、土留構造のアンカーを適宜間隔で山地内に固定する作業、柱体を適宜間隔で立設させる作業、前記アンカーと柱体とを接続固定させる作業、立設した柱体に壁体を固着する作業等、煩雑で煩わしい現場作業を軽減するものである。
【００３４】
また、本発明において使用される擁壁パネル本体１は、工場生産されるプレキャストコンクリート製であり、該擁壁パネルを支持固定する手段として、不安定要素の土留構造のアンカーは使用せず、夫々の擁壁パネルが擁壁パネルの中央裏面で挿入穴２を有した構造で、該挿入穴２に親杭１２上部に植設された支持柱１３を挿入させることにより、夫々の擁壁パネルを支持柱１３に支持固定する構成で、原則的に親杭１２や該親杭上部に構成される支持柱１３も例えばＨ型鋼を骨材としたコンクリート製であることで、擁壁パネル構築材が耐候性の良い材質にて製作可能である。
【００３５】
そして、本発明は、法面の段切り工法において、段切り部６ａ、６ｂ、６ｃに設置される擁壁パネル列１６は、夫々の擁壁パネルが擁壁パネル中央で支持固定されることにより支持柱１３を中心に左右均等に土圧がかかるように構成しており、該擁壁パネルの単体サイズは、例えば幅約２０００ｍｍ、高さ約１０００ｍｍ程度の比較的小さなモジュールとすることができることから、本発明の段切り工法用の擁壁パネルは、狭隘な場所でも小型重機を用いて効率よく施工できる最良の構成を提供するもので、従来の段切り工法に用いられる土留擁壁構造に比較して、単純構造を有して施工が簡単であり、且つ、傾斜地の崩壊や崩落防ぐことができる耐候性の良い段切り工法用の擁壁パネルを提供するものである。
【実施例２】
【００３６】
図２は本発明の実施例２を傾斜地に実施した状態を示す側断面図であり、図２において、５は傾斜地の法面、６ａ、６ｂ、６ｃ、６ｄは傾斜地の方面を段切りして形成した段切り部、７、８、９は段切りした山側に夫々設けられた擁壁、１０ａ、１０ｂは夫々の擁壁を構成する擁壁パネル、該夫々の擁壁パネル１０ａ、１０ｂは下部に設けられた基台１１上に載置され、夫々親杭１２の上部に形成される支持柱１３により立設されており、該支持柱１３の天端には、頭繋ぎ部材１４が冠設されている。尚、１５は擁壁７，８、９を構築した後に仮置き場所より投入される裏込土である。
【００３７】
そして、図２において、実施例２は段切り部６ｄの山側部において実施されている。即ち、実施例２は法面の段切り整地工法においてその擁壁高さが必要な場合に擁壁パネル１０ａ、１０ｂを積層するものである。
【００３８】
図４は本発明の実施例２の部材構成を説明する斜視図であり、１０ａ、１０ｂは２段に積層された擁壁パネルであり、該擁壁パネル１０ａ、１０ｂは基台１１上に載置され擁壁パネル列１６ａ、１６ｂを形成している。そして、夫々の擁壁パネル１０ａ、１０ｂは夫々親杭１２上に形成された支持柱１３、１３、１３により立設されている。即ち、夫々の擁壁パネル１０ａ、１０ｂは前記支持柱１３、１３、１３を挿入して擁壁パネル１０ａ、１０ｂを夫々支持固定する挿入穴２、２、２を有しており、夫々の擁壁パネル１０ａ、１０ｂを支持固定すること、並びに夫々の擁壁パネルの上部に突出している支持柱１３、１３、１３の天端に頭繋ぎ部材１４を冠設することにより、前記段切り部６ｄ（図２に示す）の山側に土砂の崩落、崩壊を防ぐ擁壁パネル列１６ａ、１６ｂを構築することができるものである。
【実施例３】
【００３９】
図５は本発明の実施例４を説明するものであり、図５（Ａ）は側断面図、図５（Ｂ）は図５（Ａ）の平面図を示している。図５において、６ｃ、６ｄは段切り部、９は擁壁、１０ａ、１０ｂは擁壁パネル、１１は基台、１２は親杭、１３は支持柱、１４は頭繋ぎ部材であり、夫々の擁壁パネル１０ａ、１０ｂが擁壁パネルの中央裏面で挿入穴２を有した構造で、該挿入穴２に親杭１２上部に植設された支持柱１３を挿入させることにより、夫々の擁壁パネルを支持柱１３に支持固定する構成であり、また、夫々の擁壁パネル１０ａ、１０ｂの裏面にはタイバー固着面３が設けられており、該タイバー固着面３には必要に応じてタイバー１７がケミカルアンカーボルトや接着剤を介して固着可能で、該タイバー１７の他端にはアンカーウエィト１８が夫々連結されている。
【００４０】
而してアンカーウエィト１８は、タイバー１７の長さを選択することにより、安定地盤１９内に設置することが可能であり、親杭１２の上部に設けられた支持柱１３による擁壁パネル１０ａ、１０ｂの支持固定をより強固に保持可能にした。
【００４１】
本発明の実施例３は、法面に設けた段切り部に親杭１２上部が構成する支持柱１３を一定間隔を有して打設し、該夫々の支持柱１３により垂直方向に一段乃至複数段の擁壁パネル１０ａ、１０ｂを載置して擁壁９を構成し、該擁壁９を構成する夫々の長方形型の擁壁パネル本体１は中央裏面に親杭１２の上部が構成する支持柱１３を挿入できる挿入穴２を有し、該擁壁パネル本体１の表面は前記支持柱１３の挿入穴２を中心に左右両方向に等しく展開する平板形状を有しており、該擁壁パネル本体１は打設された親杭１２の上部に突出して設けられた夫々の支持柱１３に挿入して載置される擁壁パネル列１６ａ、１６ｂからなる幅広の擁壁を構築し、該幅広の擁壁パネル列１６ａ、１６ｂからなる擁壁の上部を頭繋ぎ部材１４にて連結して擁壁パネル列を構成し、また、前記擁壁パネル列を構成する夫々の擁壁パネルの裏面外周部にはブラケット状に突設された形状のタイバー固着面３が形成されており、該タイバー固着面３に夫々または任意ピッチでタイバー１７を固着し、該タイバー１７の他端は擁壁の山側における安定地盤１９に設けられたアンカーウェイト１８に連結されているものである。
【００４２】
そして、本発明の特徴は、法面の段切り整地工法において、段切り部に設置される擁壁パネル列は、夫々の擁壁パネルが擁壁パネル中央で支持固定されることにより支持柱を中心に左右均等に土圧がかかるように構成しており、該擁壁パネルのサイズは、例えば幅約２０００ｍｍ、高さ約１０００ｍｍ程度の比較的小さなモジュールとすることができる。また、本発明の段切り整地工法用の擁壁パネルは、狭隘な場所でも小型重機を用いて効率よく施工できる最良の構成を提供するもので、従来の段切り工法に用いられる土留擁壁構造に比較して、単純構造を有して施工が簡単であり、且つ、傾斜地の崩壊や崩落を防止することのできる段切り整地工法用の擁壁パネルを提供するものである。
【符号の説明】
【００４３】
１    擁壁パネル本体
２    挿入穴
３    タイバー固着面
４    ガイドピン
５    傾斜地の法面
６a、６ｂ、６ｃ、６ｄ    段切り部
７    擁壁
８    擁壁
９    擁壁
１０ａ、１０ｂ    擁壁パネル
１１    基台
１２    親杭
１３    支持柱
１４    頭繋ぎ部材
１５    裏込土
１６、１６ａ、１６ｂ    擁壁パネル列
１７    タイバー    
１８    アンカーウエィト
１９    安定地盤
【図１】
2013002187.tif 000003
【図２】
2013002187.tif 000004
【図３】
2013002187.tif 000005
【図４】
2013002187.tif 000006
【図５】
2013002187.tif 000007